(57)【特許請求の範囲】
【請求項１】
ベース部材と、
前記ベース部材に支持された第一演出部材および第二演出部材と、
を備え、
前記第一演出部材および前記第二演出部材は、それぞれ、
駆動源の動力が伝達される本体部と、
前記本体部と一体的に設けられ、当該本体部の反対側が回動自在に前記ベース部材に接続されたアーム部と、
を有し、
前記第一演出部材の前記アーム部および前記第二演出部材の前記アーム部が、互いに交差するように設けられており、
前記演出部材の一方の前記アーム部が、前記演出部材の他方の前記アーム部が前記ベース部材に接続された接続箇所に最も近づいた状態において、前記一方のアーム部は、前記他方のアーム部が前記ベース部材に接続された接続箇所から離れるように一部が屈曲していることを特徴とする遊技機。
【発明の詳細な説明】
【技術分野】
【０００１】
本発明は、動力を伝達するためのアーム部を有する演出部材を備えた遊技機に関する。
【背景技術】
【０００２】
このようなアーム部を有する演出部材を備えた遊技機が種々提案されている（他例えば下記特許文献１参照）。このようなアーム部を有する演出部材とすれば、演出部材の本体部（演出効果を発現する部分）の動きが大きくなるという利点がある。
【先行技術文献】
【特許文献】
【０００３】
【特許文献１】特開２０１３−７８４９９号公報
【発明の概要】
【発明が解決しようとする課題】
【０００４】
しかし、演出部材にアーム部を設けると、演出部材とその駆動機構を含む構成（以下演出ユニットと称することもある）が大型化してしまうという問題があった。
【０００５】
本発明が解決しようとする課題は、アーム部を有する演出部材を含む演出ユニットの大型化を抑制することが可能な遊技機を提供することにある。
【課題を解決するための手段】
【０００６】
上記課題を解決するためになされた請求項１の発明にかかる遊技機は、ベース部材と、前記ベース部材に支持された第一演出部材および第二演出部材と、を備え、前記第一演出部材および前記第二演出部材は、それぞれ、駆動源の動力が伝達される本体部と、前記本体部と一体的に設けられ、当該本体部の反対側が回動自在に前記ベース部材に接続されたアーム部と、を有し、前記第一演出部材の前記アーム部および前記第二演出部材の前記アーム部が、互いに交差するように設けられており、前記演出部材の一方の前記アーム部が、前記演出部材の他方の前記アーム部が前記ベース部材に接続された接続箇所に最も近づいた状態において、前記一方のアーム部は、前記他方のアーム部が前記ベース部材に接続された接続箇所から離れるように一部が屈曲していることを特徴とする。
【発明の効果】
【００１２】
請求項１に記載の発明では、第一演出部材のアーム部と第二演出部材のアーム部が互いに交差するように設けられる。したがって、両演出部材の本体部の移動範囲が小さくなってしまうのを抑制しつつ、演出部材とその駆動機構を含めた演出ユニットの大型化を抑制することが可能である。
また、演出部材の一方のアーム部が、演出部材の他方のアーム部がベース部材に接続された接続箇所に最も近づいた状態において、一方のアーム部が、他方のアーム部がベース部材に接続された接続箇所から離れるように一部が屈曲していれば、アーム部を交差するように設けたことにより演出部材の移動範囲が小さくなってしまうのを抑制することが可能である。
【図面の簡単な説明】
【００１８】
【図１】本発明の一実施形態にかかる遊技機の正面図であり、演出部材が演出位置に位置した状態を示したものである（発射装置（発射ハンドル）等公知の部材は省略）。
【図２】センターベースおよびそれに固定された演出ユニットの外観斜視図であり、演出部材が演出位置に位置した状態を示したものである。
【図３】演出ユニットを後方から見た外観斜視図であり、演出ユニットが待機位置に位置した状態を示したものである。
【図４】演出ユニットを後方から見た外観斜視図であり、演出ユニットが演出位置に位置した状態を示したものである。
【図５】演出ユニットを後方から見た図であり、演出ユニットが演出位置に位置した状態を示したものである。
【図６】一方の演出部材のアーム部（前方屈曲部が形成されたアーム部）を模式的に示した図であって、（ａ）は当該アーム部を後方から見た図、（ｂ）は当該アーム部を上方から見た図である。
【図７】アーム部およびアーム部が接続された箇所を拡大して模式的に示した図であって、（ａ）は二つの演出部材が待機位置に位置しているときのそれぞれに設けられたアーム部の状態を示した図であり、（ｂ）は二つの演出部材が演出位置に位置しているときのそれぞれに設けられたアーム部の状態を示した図である。
【発明を実施するための形態】
【００１９】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００２０】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００２１】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００２２】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２３】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、スロットマシン等、他の種類の遊技機であってもよい。
【００２４】
本実施形態にかかる遊技機１は、第一演出部材１０ａおよび第二演出部材１０ｂと、これら演出部材１０を駆動させる駆動機構と、演出部材１０や駆動機構が支持されるベース部材４０を有する演出ユニット１ｕを備える。なお、演出部材１０や駆動機構は、特に説明する部分を除き、基本的に左右対称形状である。そのため、第一演出部材１０ａに関する各部材や各部（第一演出部材１０ａそのものやその駆動機構）は「第一」という接頭語とともに符号に「ａ」を付して、第二演出部材１０ｂに関する各部材や各部（第二演出部材１０ｂそのものやその駆動機構）は「第二」という接頭語とともに符号「ｂ」を付して以下説明するが、各図（図５、図７を除く）においては当該ａやｂの付記を省略している。具体的には、各図においては、第一演出部材１０ａに関する各部材、第二演出部材１０ｂに関する各部材や各部のうち、一方の構成にのみａやｂを省略した符号（数字）を付してある。
【００２５】
図１〜図５等に示すように、両演出部材１０は、本体部１１およびアーム部１２を有する（第一演出部材１０ａは第一本体部１１ａおよび第一アーム部１２ａを有し、第二演出部材１０ｂは、第二本体部１１ｂおよび第二アーム部１２ｂを有する）。図２に示すように、本体部１１の前面には、演出効果を発現する装飾部１１１が設けられている（第一本体部１１ａの前面には第一装飾部１１１ａが、第二本体部１１ｂの前面には第二装飾部１１１ｂが設けられている）。装飾部１１１の装飾態様はどのようなものであってもよい。
【００２６】
第一本体部１１ａ（第一装飾部１１１ａを含む）と第二本体部１１ｂ（第二装飾部１１１ｂを含む）は、対称形状である。後述するように、第一本体部１１ａの移動範囲と第二本体部１１ｂの移動範囲は、所定の面に関し対称である。本実施形態では、第一本体部１１ａの移動範囲と第二本体部１１ｂの移動範囲は、遊技機１を幅方向に二分する幅方向に直交する面Ｆ（図１、図５参照）に関し対称である。
【００２７】
各演出部材１０に設けられるアーム部１２は、本体部１１から延びる細長い軸状の部分である。具体的には、第一アーム部１２ａは第二本体部１１ｂ側に向かって延び、第二アーム部１２ｂは第一本体部１１ａ側に向かって延びる。第一アーム部１２ａおよび第二アーム部１２ｂの先端は、ベース部材４０に対し回動自在に接続されている。
【００２８】
以下、演出ユニット１ｕを構成する各部材についてさらに詳細に説明する。センターベース２（遊技機１本体側）に固定されたベース部材４０には、各演出部材１０を駆動させる駆動機構が設けられている。なお、第一演出部材１０ａを駆動させる駆動機構と第二演出部材１０ｂを駆動させる駆動機構は、上記面Ｆに関し左右対称である。第一演出部材１０ａを駆動させる第一駆動源３０ａ、第二演出部材１０ｂを駆動させる第二駆動源３０ｂ（両駆動源３０とも本実施形態ではモータ）が固定されている。第一駆動源３０ａの動力は、一または複数の歯車から構成される第一歯車列３１ａを介して第一伝達軸３２ａに伝達される。第二駆動源３０ｂの動力は一または複数の歯車から構成される第二歯車列３１ｂを介して第二伝達軸３２ｂに伝達される。
【００２９】
両伝達軸３２は、一端（第一被支持部３２１ａ、第二被支持部３２１ｂ）がベース部材４０に対して回動自在に支持されている。他端側には、端部側長孔３２２（第一端部側長孔３２２ａ、第二端部側長孔３２２ｂ）が形成され、当該端部側長孔３２２内には、各演出部材１０の本体部１１の裏面から後方に向かって突出するように形成された係合突起１１２（第一係合突起１１２ａ、第二係合突起１１２ｂ）が嵌まり込んでいる。第一係合突起１１２ａは第一端部側長孔３２２ａ内を、第二係合突起１１２ｂは第二端部側長孔３２２ｂ内をスライドすることができる。
【００３０】
また、両伝達軸３２における中央（被支持部３２１と端部側長孔３２２の間）には、中央側長孔３２３（第一中央側長孔３２３ａ、第二中央側長孔３２３ｂ）が形成されている。当該中央側長孔３２３内には、歯車列３１の最後（最も後段）の歯車に設けられた伝達突起３１１（第一伝達突起３１１ａ、第二伝達突起３１１ｂ）が嵌まり込んでいる。第一伝達突起３１１ａは第一中央側長孔３２３ａ内を、第二伝達突起３１１ｂは第二中央側長孔３２３ｂ内をスライドすることができる。
【００３１】
ベース部材４０には、各演出部材１０を誘導する誘導溝４０１（第一誘導溝４０１ａ、第二誘導溝４０１ｂ）が形成されている。当該誘導溝４０１内には、各演出部材１０の本体部１１の前面から前方に向かって突出するように形成された被誘導突起１１３（第一被誘導突起１１３ａ、第二被誘導突起１１３ｂ）（図２参照）が嵌まり込んでいる。第一被誘導突起１１３ａは第一誘導溝４０１ａ内を、第二被誘導突起１１３ｂは第二誘導溝４０２ｂ内をスライドすることができる。この誘導突起と誘導溝４０１内の係合により、各演出部材１０（各本体部１１）を所定の態様で移動させることができる。誘導溝４０１の形状は、演出部材１０（本体部１１）の移動態様に応じて適宜設定すればよい。
【００３２】
本体部１１における伝達軸３２が接続された側の反対側にアーム部１２が位置する。具体的には、各アーム部１２は、伝達軸３２から離れる方向に突出するように形成されている。ベース部材４０には、各アーム部１２の先端（本体部１１とは反対側の端部）が回動自在に接続される。当該回動自在に接続された箇所が、動作する各演出部材１０の支点となる。以下、第一アーム部１２ａの先端がベース部材４０に対し回動自在に接続された箇所を第一接続箇所１２１ａと、第二アーム部１２ｂの先端がベース部材４０に対し回動自在に接続された箇所を第二接続箇所１２１ｂと称することもある。
【００３３】
第一アーム部１２ａと第二アーム部１２ｂは、互いに交差するように設けられる。本実施形態では、第一接続箇所１２１ａが、第一本体部１１ａよりも第二本体部１１ｂに近くなるように設定され、第二接続箇所１２１ｂが、第二本体部１１ｂよりも第一本体部１１ａに近くなるように設定される。第一接続箇所１２１ａと第二接続箇所１２１ｂは、上記面Ｆに関し対称に位置する。つまり、動作する各演出部材１０の支点は、面Ｆに関し対称に位置する。第一アーム部１２ａと第二アーム部１２ｂは、平面視形状（前後方向から見た形状）は略同一であり、左右対称形状である。ただし、両アーム部１２が互いに交差することができるようにするため、一方のアーム部１２の少なくとも一部を前方に屈曲させ（図６（ｂ）参照）、当該屈曲した部分（前方屈曲部１２３）を他方のアーム部１２が交差する構成としている。当該前方屈曲部１２３は、演出部材１０を動作させたときにおいて一方のアーム部１２と他方のアーム部１２が干渉しない範囲となる。つまり、他方のアーム部１２の可動範囲となるため、演出部材１０の移動範囲に応じて適宜設定される。
【００３４】
また、第一アーム部１２ａおよび第二アーム部１２ｂの平面形状は、本体部１１からそのまま真っすぐ延びる形状ではなく、一部が屈曲した形状である（図５、図６（ａ）、図７等参照）。当該屈曲部１２２（第一屈曲部１２２ａ、第二屈曲部１２２ｂ）の形状は次の通りである。後述するように、第一演出部材１０ａが動作する際、第一アーム部１２ａは、第二接続箇所１２１ｂに近づいていく、または遠ざかるように変位する。また、第二演出部材１０ｂが動作する際、第二アーム部１２ｂは、第一接続箇所１２１ａに近づいていく、または遠ざかるように変位する。第一屈曲部１２２ａおよび第二屈曲部１２２ｂは、一方のアーム部１２が他方のアーム部１２に近づいた状態において、他方のアーム部１２の接続箇所１２１から離れるような形状を有する。すなわち、第一アーム部１２ａは、第二接続箇所１２１ｂに最も近づいた状態において、第二接続箇所１２１ｂから離れるように、中央部分（先端部と本体部１１側端部の間）が屈曲している。同様に、第二アーム部１２ｂは、第一接続箇所１２１ａに最も近づいた状態において、第一接続箇所１２１ａから離れるように、中央部分（先端部と本体部１１側端部の間）が屈曲している（図７（ｂ）参照）。
【００３５】
ベース部材４０におけるアーム部１２が接続される箇所は、第一誘導溝４０１ａおよび第二誘導溝４０１ｂが形成された箇所よりも後方に突出している（以下、当該突出した部分を土台部４１と称する）（図３、図４等参照）。かかる土台部４１の後面にアーム部１２が接続されている。ベース部材４０における第一接続箇所１２１ａと第二接続箇所１２１ｂの間には、土台部４１の後面からさらに突出して形成された区画部４２が設けられている（図３、図４等参照）。区画部４２は、平面視形状が略逆三角形状である。後述するように各アーム部１２が変位して第一アーム部１２ａが区画部４２に最も近づいた状態となったときに、区画部４２の第一接続箇所１２１ａ側の斜面４２１は第一アーム部１２ａの一部に沿う形状となるように設定されている。第二アーム部１２ｂが区画部４２に最も近づいた状態となったときに、区画部４２の第二接続箇所１２１ｂ側の斜面４２２は第二アーム部１２ｂの一部に沿う形状となるように設定されている（図７（ｂ）参照）。
【００３６】
このような構成を有する演出ユニット１ｕの動作について、一部上記説明と重複するが以下説明する。
【００３７】
演出部材１０は、所定の演出実行時以外のときには、その本体部１１が最も下側に位置した状態（かかる位置を待機位置と称する）にある（図３参照）。演出部材１０が待機位置に位置するとき、演出部材１０の本体部１１はその大部分が遊技盤９０の下側の領域に覆われた状態にある。つまり、遊技者からは本体部１１がほとんど見えない状態にある。演出部材１０が原位置に位置する状態であっても、アーム部同士は交差している（図３、図７（ａ）参照）。
【００３８】
かかる待機位置に位置する演出部材１０を動作させる（後述する演出位置に向かって動作させる）際には、図示されない演出ユニット１ｕの制御手段が第一駆動源３０ａおよび第二駆動源３０ｂを駆動（正転）させる。これにより、各駆動源３０の動力は、歯車列３１の最も後段の歯車まで伝わり、当該歯車に設けられた伝達突起３１１（第一伝達突起３１１ａ、第二伝達突起３１１ｂ）が当該歯車の回転中心を中心として変位する。具体的には、下方から上方に向かうように変位する。
【００３９】
両伝達突起３１１は、各伝達軸３２に形成された中央側長孔３２３（第一中央側長孔３２３ａ、第二中央側長孔３２３ｂ）に嵌まり込んでいるため、中央側長孔３２３の内壁面を押す。これにより、伝達部材は、一方の端部（被支持部３２１）を支点として、他方の端部（演出部材１０側端部）が上方に変位するよう回動する。
【００４０】
当該他方の端部には、端部側長孔３２２（第一端部側長孔３２２ａ、第二端部側長孔３２２ｂ）が形成されており、当該端部側長孔３２２には係合突起１１２（第一係合突起１１２ａ、第二係合突起１１２ｂ）が嵌まり込んでいるため、端部側長孔３２２の内壁面が当該係合突起１１２を押す。これにより、係合突起１１２が設けられた演出部材１０が、被誘導突起１１３（第一被誘導突起１１３ａ、第二被誘導突起１１３ｂ）が嵌まり込んでいる誘導溝４０１（第一誘導溝４０１ａ、第二誘導溝４０１ｂ）に誘導されつつ、アーム部１２が接続されている接続箇所１２１（第一接続箇所１２１ａ、第二接続箇所１２１ｂ）を支点として、上方に向かって回動（変位）する。これにより、演出部材１０の本体部１１が遊技盤９０の開口９０１を通じて遊技者に視認可能な演出位置に位置する。なお、演出位置から待機位置に戻す際には、第一駆動源３０ａおよび第二駆動源３０ｂを逆方向に駆動（逆転）させればよい。
【００４１】
本実施形態では、第一本体部１１ａの移動範囲と第二本体部１１ｂの移動範囲は、面Ｆに関し対称である。第一駆動源３０ａと第二駆動源３０ｂを同時に駆動させ、その回転速度が同じであれば、第一本体部１１ａと第二本体部１１ｂは、面Ｆに関し対称な状態を維持したまま変位する。ただし、一方の駆動源３０のみを駆動し、一方の本体部１１（演出部材１０）のみが動作する演出が実行されることがあってもよい。
【００４２】
上記のように演出部材１０を待機位置から演出位置に変位させる際、すなわち本体部１１が上方に向かって変位する際、各アーム部１２は、互いに交差した状態を維持したまま（交差する位置は変化する）他方のアーム部１２が接続された接続箇所１２１に近づいていくように変位する。具体的には、各アーム部１２の屈曲部１２２が、他方のアーム部１２が接続された接続箇所１２１に近づいていくように変位する。両演出部材１０が演出位置に到達した時点では、第一アーム部１２ａは、その屈曲部１２２（第一屈曲部１２２ａ）が第二接続箇所１２１ｂから離れるような態様で位置し、第二アーム部１２ｂは、その屈曲部１２２（第二屈曲部１２２ｂ）第一接続箇所１２１ａから離れるような態様で位置する（図７（ｂ）参照）。
【００４３】
このように演出部材１０を動作させるにあたり、一方のアーム部１２と他方のアーム部１２が接続された箇所の干渉を防止しなければならないから、各アーム部１２に上記のような屈曲部１２２を設けることにより、一方のアーム部１２と他方のアーム部１２が接続された箇所との干渉が回避されるアーム部１２の移動可能な範囲が広がる。つまり、演出部材１０の移動可能な範囲が広がる。
【００４４】
また、両演出部材１０が演出位置に到達した時点、すなわち第一アーム部１２ａが区画部４２に最も近づいた状態となったときには、区画部４２の第一接続箇所１２１ａ側の斜面４２１は第一アーム部１２ａの一部に沿う。第二アーム部１２ｂが区画部４２に最も近づいた状態となったときには、区画部４２の第二接続箇所１２１ｂ側の斜面４２２は第二アーム部１２ｂの一部に沿う。より詳しく説明すると、各アーム部１２には上記屈曲部１２２が設けられている（基端（本体部１１側）から先端にかけて真っすぐ延びる形状ではない）ところ、その屈曲部１２２の一部の形状に沿うように区画部４２の形状を設定している（図７（ｂ）参照）。
【００４５】
このような区画部４２を設けることにより、一方のアーム部１２が他方のアーム部１２の移動範囲に入り込んでしまうといったことが防止される。つまり、一方のアーム部１２は、少なくとも区画部４２の斜面４２１に接触する位置までしか変位することができないから、各種部材の位置ずれや多少の変形等によって、アーム部１２同士が干渉してしまう（干渉によって動作がぎこちなくなってしまう）のを防止することが可能である。
【００４６】
また、区画部４２は、最も近づいた状態にある各アーム部１２（屈曲部１２２の一部）に沿う形状を有するものであるから、区画部４２によってアーム部１２の移動範囲が小さくなってしまう、ひいては演出部材１０の本体部１１の移動範囲が小さくなってしまうのを抑制することが可能である。
【００４７】
以上説明したように、本実施形態にかかる遊技機１では、第一演出部材１０ａの第一アーム部１２ａと第二演出部材１０ｂの第二アーム部１２ｂが、互いに交差するように設けられる。具体的には、一方のアーム部１２を前方または後方に屈曲させる（本実施形態では前方に屈曲させる）ことにより、両者の交差を可能とする。このように交差する構成とすることで、両演出部材１０の本体部１１の移動範囲が小さくなってしまうのを抑制しつつ、演出部材１０とその駆動機構を含めた演出ユニット１ｕの大型化を抑制することが可能である。
【００４８】
以上、本発明の実施の形態について詳細に説明したが、本発明は上記実施の形態に何ら限定されるものではなく、本発明の要旨を逸脱しない範囲で種々の改変が可能である。
【００４９】
例えば、演出部材１０の移動方向は適宜変更可能である。また、演出部材１０に動力を伝達する駆動機構（上記実施形態でいう駆動源３０から本体部１１までの動力伝達機構および駆動源の具体的な構成）も適宜変更可能である。
以下、上記実施形態から得られる具体的手段（遊技機）を列挙する。
手段１にかかる遊技機は、ベース部材と、前記ベース部材に支持された第一演出部材および第二演出部材と、を備え、前記第一演出部材および前記第二演出部材は、それぞれ、駆動源の動力が伝達される本体部と、前記本体部と一体的に設けられ、当該本体部の反対側が回動自在に前記ベース部材に接続されたアーム部と、を有し、前記第一演出部材の前記アーム部および前記第二演出部材の前記アーム部が、互いに交差するように設けられていることを特徴とする。
手段２にかかる遊技機は、手段１に記載の遊技機において、前記第一演出部材の前記本体部の移動範囲と前記第二演出部材の前記本体部の移動範囲は、所定の面に関し対称であることを特徴とする。
手段３にかかる遊技機は、手段２に記載の遊技機において、前記第一演出部材の前記アーム部が前記ベース部材に接続された第一接続箇所と、前記第二演出部材の前記アーム部が前記ベース部材に接続された第二接続箇所とは、前記所定の面に関し対称であることを特徴とする。
手段４にかかる遊技機は、手段１から手段３のいずれかに記載の遊技機において、前記演出部材の一方の前記アーム部が、前記演出部材の他方の前記アーム部が前記ベース部材に接続された接続箇所に最も近づいた状態において、前記一方のアーム部は、前記他方のアーム部が前記ベース部材に接続された接続箇所から離れるように一部が屈曲していることを特徴とする。
手段５にかかる遊技機は、手段１から手段４のいずれかに記載の遊技機において、前記ベース部材には、前記第一演出部材の前記アーム部が前記ベース部材に接続された第一接続箇所と、前記第二演出部材の前記アーム部が前記ベース部材に接続された第二接続箇所とを区画する区画部が設けられていることを特徴とする。
手段６にかかる遊技機は、手段５に記載の遊技機において、前記区画部の少なくとも一部は、前記第一演出部材の前記アーム部および前記第二演出部材の前記アーム部が当該区画部に最も近づいたとき、当該各アーム部の少なくとも一部に沿うことを特徴とする。
手段１にかかる遊技機では、第一演出部材のアーム部と第二演出部材のアーム部が互いに交差するように設けられる。したがって、両演出部材の本体部の移動範囲が小さくなってしまうのを抑制しつつ、演出部材とその駆動機構を含めた演出ユニットの大型化を抑制することが可能である。
手段２にかかる遊技機のように、第一演出部材の本体部の移動範囲と第二演出部材の本体部の移動範囲が対称形状となるようにする場合であっても、アーム部が互いに交差する配置とすることが可能である。
手段３にかかる遊技機のように、第一演出部材のアーム部がベース部材に接続された第一接続箇所と、第二演出部材のアーム部がベース部材に接続された第二接続箇所とが、所定の面に関し対称に位置するように設定すれば、第一演出部材の本体部の移動範囲と第二演出部材の本体部の移動範囲が対称形状となる構成を容易に構築することが可能である。
手段４にかかる遊技機のように、演出部材の一方のアーム部が、演出部材の他方のアーム部がベース部材に接続された接続箇所に最も近づいた状態において、一方のアーム部が、他方のアーム部がベース部材に接続された接続箇所から離れるように一部が屈曲していれば、アーム部を交差するように設けたことにより演出部材の移動範囲が小さくなってしまうのを抑制することが可能である。
手段５にかかる遊技機によれば、第一接続箇所と第二接続箇所との間に区画部が設けられているため、各種部材の位置ずれや多少の変形等によって、アーム部同士が干渉してしまう（干渉によって動作がぎこちなくなってしまう）のを防止することが可能である。
手段６にかかる遊技機のように、区画部が、最も近づいた状態にある各アーム部の少なくとも一部に沿う形状を有する構成とすれば、区画部によってアーム部の移動範囲が小さくなってしまう、ひいては演出部材の本体部の移動範囲が小さくなってしまうのを抑制することが可能である。
【符号の説明】
【００５０】
１  遊技機
１ｕ  演出ユニット
１０  演出部材（１０ａ  第一演出部材、１０ｂ  第二演出部材）
１１  本体部（１１ａ  第一本体部、１１ｂ  第二本体部）
１２  アーム部（１２ａ  第一アーム部、１２ｂ  第二アーム部）
１２１  接続箇所（１２１ａ  第一接続箇所、１２１ｂ  第二接続箇所）
１２２  屈曲部（１２２ａ  第一屈曲部、１２２ｂ  第二屈曲部）
１２３  前方屈曲部
３０  駆動源（３０ａ  第一駆動源、３０ｂ  第二駆動源）
４０  ベース部材
４２  区画部
【図１】
0005938661.tif 000002
【図２】
0005938661.tif 000003
【図３】
0005938661.tif 000004
【図４】
0005938661.tif 000005
【図５】
0005938661.tif 000006
【図６】
0005938661.tif 000007
【図７】
0005938661.tif 000008